(57)【特許請求の範囲】
【請求項１】
中空に形成された筒体（１）内部に、火薬体（２）及び噴出物（３）が収容され、火薬体（２）に連設された引き紐（４）を引っ張ることにより火薬体（２）を爆発させて噴出物（３）を空中に発射させるクラッカーにおいて、
前記噴出物（３）は、中心付近で複数の繊維（３０）を結束すること又は、心材（３２）に複数の繊維（３０）を植え付けるかあるいは貼着することにより噴出物（３）の繊維をその中心側から放射状に配置して、少なくとも表面側における繊維間に空隙を有するように構成されていることを特徴とするクラッカー。
【請求項２】
繊維（３０）は難燃処理が施されているか、或いは難燃性の材料であることを特徴とする請求項１記載のクラッカー。
【請求項３】
噴出物（３）は球状に形成されされていることを特徴とする請求項１または請求項２記載のクラッカー。
【発明の詳細な説明】
【０００１】
【発明の属する技術分野】
本発明は、クリスマスや結婚式等の祝宴などに用いられ、火薬の爆発力により噴出物を空中に発射させるクラッカーに関する。
【０００２】
【従来の技術】
パーティ等で雰囲気を盛り上げるために、テープや紙片を空中に発射してまき散らすクラッカーが一般に広く知られている。該クラッカーは、紙製などからなる中空円錐状の筒体に、火薬体と、テープ・紙片等からなる被発射物とを内装すると共に、火薬体に固定された引き紐が筒体の外部に引き出されている。そして、引き紐を引くと、摩擦によって火薬体が発火・爆発し、その爆圧で被発射物が空中に発射されるものである。
【０００３】
【発明が解決しようとする課題】
しかしながら、上記従来のクラッカーでは、火薬体が爆発する時に発生する爆発音が大きく、その為、その場にいる人々に恐怖感を与えることがある。
【０００４】
そこで、本発明はこのような問題を解決するためになされたもので、爆発音を緩和させることにより、恐怖感を与えることなく安心して使用できるクラッカーを提供することを課題とする。
【０００５】
【課題を解決するための手段】
本発明は、中空に形成された筒体１内部に、火薬体２及び噴出物３が収容され、火薬体２に連設された引き紐４を引っ張ることにより火薬体２を爆発させて噴出物３を空中に発射させるクラッカーにおいて、前記噴出物３は、中心付近で複数の繊維３０を結束すること又は、心材３２に複数の繊維３０を植え付けるかあるいは貼着することにより噴出物３の繊維をその中心側から放射状に配置して、少なくとも表面側における繊維間に空隙を有するように構成されている。
【０００６】
上記構成のクラッカーによれば、筒体１内で火薬体が爆発した時、発生する爆発音は、噴出物３により吸音され、噴出物３は爆圧により空中に発射されるため、火薬体２の爆発音を緩和させることができる。
【０００７】
本発明のクラッカーでは、繊維３０は難燃処理が施されているか、或いは難燃性の材料であることを特徴としている。
【０００８】
上記構成によれば、繊維３０は難燃であるから、火災の危険性を軽減することができる。
【０００９】
本発明のクラッカーでは、噴出物３は球状に形成されされていることを特徴としている。
【００１０】
上記構成のクラッカーにおいて、噴出物としてのテープ等を発射するクラッカーなどでは、例えばストーブやキャンドル等の火元の近くで使用した場合、テープが長尺であるため発射されたテープが火元の上に覆いかぶさって火災の原因となる恐れがあったが、噴出物３を球状に形成することにより、火元に当たった噴出物３は転がって、又は跳ね返って火元から離れ易いため、火災の危険性を減少させることができる。
【００１１】
【発明の実施の形態】
以下、本発明の実施形態の一例について図面を参照して説明する。図１に示すように、本実施形態にかかるクラッカーは、中空に形成された筒体１と、この筒体１の下部位置に内装される火薬体２と、火薬体２の上方位置で筒体１に内装される受圧板５と、この受圧板５に支持される噴出物３，…とを備えて構成されている。
【００１２】
筒体１は、略扇形状に裁断されたボール紙を丸めることによって、上端部に噴出物３，…が発射される開口部１２が設けられると共に、下端部に後述の引き紐４を導出するための小孔１３が設けられた円錐筒状に形成される。図２の如く、前記開口部１２を形成する筒体１の上縁部には、全周にわたって複数のフラップ１０が設けられ、さらに、各フラップ１０の先端部には、係止用の切込み溝１１が設けられている。そして、各フラップ１０を筒体１の中心軸に向かって内側に折り曲げ、隣接するフラップ１０の切込み溝１１を互いに嵌め込んでいくことにより、開口部１２が閉止されるようになっている。
【００１３】
火薬体２は、所定量の火薬を薄い紙等で巻装されてなり、その芯には引き紐４が連設されている。そして、火薬体２を固定した状態で該引き紐４を引くことにより、火薬体２と引き紐４が摩擦して、火薬体２中の火薬が爆発するようになっている。この火薬体２は、間座体６により、前記筒体１内に保持されている。
【００１４】
間座体６は、ロート状に形成され、下部に火薬体２を保持可能な火薬体受止め口６０を備えている。そして、火薬体２は、前記引き紐４の一端部を該火薬体受止め口６０に挿通させた状態で、該火薬体受止め口６０に保持される。ここで、引き紐４の一端部をさらに前記筒体１の小孔１３に挿通させることにより、筒体１の外に導出される。
【００１５】
また、受圧板５は、円盤状の受圧部５０と、受圧部５０から一体的に延設され、先端に穴が設けられた保持部５１とから構成されている。図１に示すように、かかる受圧板５は、火薬体２の上部位置に、受圧部５０が該受圧部５０の外周と筒体１の内周面が接触した状態で保持され、さらに、保持部５１をくの字状に屈折させた状態で保持部５１の穴に火薬体受止め口５１が挿通されている。従って、火薬体２が爆発した時、受圧部５０が爆圧を受けて筒体１の開口部方向に移動するが、保持部５１が間座体６に接続されているため、受圧体５は筒体１から発射されずに、筒体１内に保持させておくことができる。尚、受圧板５は、必要に応じて省略することができる。
【００１６】
噴出物３，…は、前記受圧部５０の上方位置で、受圧部５０に支持された状態で筒体１に複数個（図１及び図２では３個）が内装されている。かかる噴出物３，…は、直径が５〜１００ｍｍ程度、好ましくは１０〜５０ｍｍの略球状で、前記筒体１に内装可能な大きさに適宜形成される。また、噴出物３は、表面に空隙を有するように綿状繊維で構成され、例えば、図３（イ）の如く、所定長さに設けられた複数の綿状繊維を略中心付近で結束した後、球状になるように形状を整えることにより形成される。かかる綿状繊維としては、レーヨン、ポリエステル、ナイロン等の合成繊維や木綿、絹綿、真綿等の繊維が用いられる。好ましくは、綿状繊維には、難燃処理が施されているか、或いは難燃性の材料を使用する。さらに、噴出物３，…は種々の色に着色されたり、綿状繊維の間に糸状に形成した反射テープ等を混入させることができ、そうすれば噴出物３，…を発射したときの演出効果を向上させることができる。尚、筒体１に内装される噴出物３，…の個数は、筒体１の大きさ等によって適宜選択され得るが、１個以上であれば何個であっても差し支えない。
【００１７】
本実施形態に係るクラッカーは、以上の構成からなり、以下、該クラッカーの使用した時の状態について説明する。
使用者が筒体１から導出した引き紐４を引くと、火薬体２が摩擦により発火・爆発する。この時発生する爆発音は、筒体１内で噴出物３，…に吸音される。詳細に説明すると、爆発音は空気の振動であり、この振動が噴出物３，…に伝わると、噴出物３，…の綿状繊維の間に形成されている空隙に存在する空気が振動して熱が発生する。即ち、音のエネルギーの一部が熱エネルギーに変換されるため、その結果、爆発音が減少・緩和する。その後は従来のクラッカーと同様に、火薬体２の爆発による爆圧で受圧板５が吹き飛ばされ、この受圧板５により押された噴出物３，…が切込み溝１１によって互いに係止されている各フラップ１０を押し広げながら開口部１２より外部に発射される。尚、音のエネルギーが熱エネルギーに変換される際に発生する熱は微量であるため、クラッカーの使用には何ら影響はない。
【００１８】
上述の如く、本一実施形態に係るクラッカーは、噴出物３，…により、筒体１内で火薬体２の爆発音が吸音されるので、爆発音を緩和させることができる。即ち、クラッカーを使用する時の音をソフトな音色とすることができる。
【００１９】
さらに、本一実施形態に係るクラッカーにおいては、発射される噴出物３，…は綿状繊維で形成されているため柔らかく、人や物に当っても安全であるという利点を有する。
【００２０】
噴出物３，…は種々の色に着色されているため、発射の際は紙テープや紙片を発射する従来のクラッカーと同等以上の演出効果が得られる。
【００２１】
また、従来のテープ等を発射するクラッカーなどでは、例えばストーブやキャンドル等の火元の近くで使用した場合、テープが長尺であるため発射されたテープが火元の上に覆いかぶさって火災の原因となる恐れがあった。しかし、本一実施形態に係るクラッカーでは、噴出物３を球状に形成することにより、火元に当たった噴出物３は転がって、又は跳ね返って火元から離れ易いため、火災の危険性を減少させることができる。噴出物３を難燃性の材料（綿状繊維）で形成することで、火災の危険性をさらに軽減することができる。
【００２２】
さらに、発射された後の噴出物３は、マスコットとして愛玩され、室内において種々のゲームやデコレーションとしても利用され得るため、パーティーの席における趣向性を高めることができる。
【００２３】
また、本実施形態に係るクラッカーは、前記噴出物３，…と一緒に紙片３５，…が筒体１内に内装されており、噴出物と共に発射されるようになっている。紙片３５，…等を噴出物３，…と一緒に発射することにより、クラッカーを使用した際の演出効果をより向上させることができる。
【００２４】
図４は、本発明にかかるクラッカーの他の実施形態を示す。尚、図４において、図１及び図２と同一の構成要素には同一符号を付してその詳細な説明は省略する。図４に示すように、本他の実施形態において、円錐筒状に形成された筒体１内に間座体６により保持された火薬体２が内装され、火薬体２の上方位置には該火薬体２と被接触状態で噴出物３が内装されている構成は、前記一実施形態と同一である。
【００２５】
そして、本他の実施形態においては、１個の噴出物３が、筒体１の内周面と全周にわたり接触した状態で内装されている。即ち、噴出物３の直径と、筒体１の軸方向の所定位置の内径を同一、又は筒体１の軸方向の所定位置の内径が若干小さい寸法になるように形成することにより、噴出物３が、筒体１の軸方向の所定位置近傍で筒体１内に保持される。
【００２６】
前記一実施形態では、噴出物３，…は受圧板５により支持されているが、本他の実施形態においては、噴出物３を筒体１の内周と全周にわたり接触状態で内装することにより、噴出物３が筒体１内に保持されるため、受圧板を省略することができる。尚、受圧板を備えていても勿論かまわない。
【００２７】
そして、火薬体２の爆発により発生する爆発音は、上述の一実施形態と同様、噴出物３により吸音されるため、爆発音を緩和させてソフトな音色にすることができる。
【００２８】
尚、本発明に係るクラッカーは、前記実施形態に限定されるものではなく、本発明の要旨を逸脱しない範囲にて種々の変更が可能である。例えば、筒体１は、円筒形状や多角筒形状、又はシャンペンやビールビン等の外観形状を真似た略ビン形状に形成しても良い。また、ボール紙の他、プラスチック等で成形してもよい。
【００２９】
また、噴出物３は、前記実施形態の構造以外に、図３（ロ）の如く、スポンジなどからなる心材に綿状繊維を植え付けたり、貼着することにより形成してもよいし、綿状繊維以外に多孔質のスポンジ等を球状に形成してもよい。また、球状以外にも、多面形、ラグビーボール形等であってもよい。つまり、噴出物３の表面が空隙を多く有する構成であれば、上記実施形態以外の材質や構造及び外形であってもよい。
【００３０】
また、前記一実施形態において、受圧板５は空中に発射される構造であっても良い。即ち、受圧板５に保持部５１を設けない構造とし、火薬体２の爆圧により噴出物３と共に空中に発射される構成としてもよい。この時、受圧板に着色を施したり、絵柄を設けることにより、受圧板５が空中に発射されたときに演出効果を奏することができる。
【００３１】
筒体１の開口部１２は、フラップ１０により閉塞されているが、その他の手段で閉塞してもよい。例えば、発砲性樹脂などから成る蓋体を開口部１２に嵌合させてもよいし、筒体１の開口部１２周縁ボール紙性の蓋体を貼着してもよい。何れにしても、噴出物３により押されることにより、開口部１２が開く構造であれば、その他の構造であってもよい。
【００３２】
前記他の実施形態において、噴出物３は筒体１の内周面と接触することにより筒体１内に保持されているが、筒体１の軸方向の所定位置に段差又はストッパーを設けることにより、噴出物を支持してもよい。例えば、内径が噴出物３の直径よりも小さいリング状のストッパーを筒体１の内周面に固定することにより噴出物を支持し、噴出物３の筒体１内下方への落下を防止（火薬体２との接触）を防止してもよい。
【００３３】
【発明の効果】
以上ように、本発明に係るクラッカーは、火薬体の爆発音が緩和されるため、その場にいる人に恐怖感を与えることなく、安心して使用することができる。
【００３４】
さらに、噴出物を綿状繊維で形成することにより柔らかな感触となるため、人に当ってもケガ等を負わせることなく安全に使用することができ、しかも手触り感がよくなる。
【図面の簡単な説明】
【図１】本発明の一実施の形態に係るクラッカーを示す断面図。
【図２】同クラッカーの一部を切欠いた斜視図であって、フラップが開いた状態を示す。
【図３】噴出物の構造を示す図であり、（イ）は、一実施の形態を示す正面図、（ロ）は、その他の形態を示す断面図。
【図４】本発明の他の実施形態に係るクラッカーを示す一部切欠きの斜視図。
【符号の説明】
１…筒体、２…火薬体、３…噴出物、４…引き紐、５…受圧板、６…間座体、１０…フラップ、１１…切込み溝、１２…開口部、１３…小孔、３０…綿状繊維、３１…結束紐、３２…スポンジ体、３５…紙片、６０…火薬体受け口
【図１】
0003891857.tif 000002
【図２】
0003891857.tif 000003
【図３】
0003891857.tif 000004
【図４】
0003891857.tif 000005